(57)【要約】      （修正有）【課題】音響特性を微調整することができ且つ小型化を図ることができるヘッドフォンを提供する。【解決手段】ヘッドフォンは、ハウジング１００と、可動部２１０と、閉塞部２２０とを備えている。ハウジング１００は、耳に装着可能又は耳の近傍に配置可能なフロント部１２０と、背面音孔１１２が設けられた円筒部１１０とを有している。可動部２１０は、円筒部１１０に沿って往復移動自在となるように当該円筒部１１０に設けられている。閉塞部２２０は可動部２１０に設けられている。閉塞部２２０は、可動部２１０の往路移動に応じて円筒部１１０に沿って移動し、背面音孔１１２を漸次閉塞可能である一方、可動部２１０の復路移動に応じて円筒部１１０に沿って移動し、背面音孔１１２を漸次開放可能である。【選択図】図２
2014225752.tif 000002
【特許請求の範囲】
【請求項１】
耳内に装着可能又は耳の近傍に配置可能なフロント部および背面音孔が設けられた円筒部を有するハウジングと、
前記円筒部に沿って往復移動自在となるように当該円筒部に設けられた可動部と、
前記可動部に設けられた閉塞部とを備えており、
前記閉塞部は、前記可動部の往路移動に応じて前記円筒部に沿って移動し、前記背面音孔を漸次閉塞する一方、前記可動部の復路移動に応じて前記円筒部に沿って移動し、前記背面音孔を漸次開放するヘッドフォン。
【請求項２】
請求項１記載のヘッドフォンにおいて、
前記可動部は、前記円筒部に当該円筒部に沿って移動自在に内接又は外接した円筒状であるヘッドフォン。
【請求項３】
請求項２記載のヘッドフォンにおいて、
前記可動部に設けられており且つ前記円筒部外に配置された操作部を更に備えているヘッドフォン。
【請求項４】
請求項１〜３の何れかに記載のヘッドフォンにおいて、
前記ハウジング内に収容されたドライバーユニットと、
前記ドライバーユニットに接続されたケーブルを更に備えており、
前記閉塞部は、前記可動部から前記円筒部の軸方向の一方側に延びており、
前記背面音孔は、前記円筒部の前記可動部よりも前記軸方向の一方側の部分に設けられており、
前記ハウジングは、前記円筒部の前記可動部よりも前記軸方向の一方側の部分であって、前記閉塞部の移動範囲外に設けられており且つ前記ケーブルを当該ハウジング外に導出させる導出路又は導出孔を更に有しているヘッドフォン。
【請求項５】
請求項１〜４の何れかに記載のヘッドフォンにおいて、
前記フロント部に固着されており且つ正面音孔が設けられたバッフルを更に備えているヘッドフォン。
【請求項６】
請求項１〜４の何れかに記載のヘッドフォンにおいて、
前記フロント部には、正面音孔が設けられているヘッドフォン。
【請求項７】
請求項１〜６の何れかに記載のヘッドフォンにおいて、
前記閉塞部には、前記背面音孔に連通可能な孔が設けられており、
前記閉塞部は、前記可動部の往路移動に応じて前記円筒部に沿って移動して前記背面音孔を漸次閉塞し、前記閉塞部の前記孔と前記ハウジングの前記背面音孔との連通量を漸次低減させる一方、前記可動部の復路移動に応じて前記円筒部に沿って移動して前記背面音孔を漸次開放し、前記閉塞部の前記孔と前記ハウジングの前記背面音孔との連通量を漸次増加させるヘッドフォン。
【請求項８】
請求項３記載のヘッドフォンにおいて、
前記円筒部は、当該円筒部の軸方向の他方側に開口を有しており、
前記操作部は、前記円筒部の前記開口を閉塞しているヘッドフォン。
【請求項９】
請求項１〜７の何れかに記載のヘッドフォンにおいて、
前記円筒部は、当該円筒部の軸方向の他方側に開口を有しており、
前記ハウジングは、前記円筒部の前記開口を閉塞する蓋部を更に有しているヘッドフォン。
【発明の詳細な説明】
【技術分野】
【０００１】
本発明はヘッドフォンに関する。
【背景技術】
【０００２】
この種のヘッドフォンとしては、下記特許文献に記載されたものがある。このヘッドフォンは、ハウジングと、バッフルと、フリップと、調整つまみとを備えている。ハウジングにはバッフルが取り付けられている。バッフルには開口部が設けられている。フリップは、開口部を開閉可能となるようにバッフルに設けられ、ハウジング内に収容されている。調整つまみはハウジングに移動自在に設けられている。この調整つまみが操作されることによって、フリップが開口部を開閉する。これにより、前記ヘッドフォンの音響特性が変更される。
【先行技術文献】
【特許文献】
【０００３】
【特許文献１】特開２００６−１２１３１８号公報
【発明の概要】
【発明が解決しようとする課題】
【０００４】
上記ヘッドフォンは、フリップがバッフルの開口部を開放又は閉塞するだけであることから、ヘッドフォンの音響特性を微調整することができない。加えて、ハウジング内に、フリップが開口部を開閉し得る空間を形成する必要があるため、上記ヘッドフォンが大型化する。
【０００５】
本発明は、上記事情に鑑みて創案されたものであって、その目的とするところは、音響特性を微調整することができ且つ小型化を図ることができるヘッドフォンを提供することにある。
【課題を解決するための手段】
【０００６】
上記課題を解決するために、本発明のヘッドフォンは、ハウジングと、可動部と、閉塞部とを備えている。前記ハウジングは、耳に装着可能又は耳の近傍に配置可能なフロント部と、背面音孔が設けられた円筒部とを有している。前記可動部は、前記円筒部に沿って往復移動自在となるように当該円筒部に設けられている。前記閉塞部は前記可動部に設けられている。前記閉塞部は、前記可動部の往路移動に応じて前記円筒部に沿って移動し、前記背面音孔を漸次閉塞する一方、前記可動部の復路移動に応じて前記円筒部に沿って移動し、前記背面音孔を漸次開放する。
【０００７】
このような態様のヘッドフォンによる場合、可動部および閉塞部を往路移動させることにより、閉塞部が背面音孔を漸次閉塞し、可動部および閉塞部を復路移動させることにより、閉塞部が背面音孔を漸次開放する。これにより、背面音孔の開口面積が漸次可変するので、当該ヘッドフォンの音響特性を微調整することができる。しかも、可動部および閉塞部は、円筒部に沿って往復移動するだけであるので、閉塞部の移動空間の低減を図ることができる。よって、当該ヘッドフォンの小型化を図ることができる。
【０００８】
前記可動部は、前記円筒部に当該円筒部に沿って移動自在に内接又は外接された円筒状とすることが可能である。このような態様のヘッドフォンによる場合、可動部を円筒部に内接又は外接させるだけで、可動部および閉塞部を円筒部に容易に取り付けることができる。
【０００９】
上記ヘッドフォンは、操作部を更に備えた構成とすることが可能である。前記操作部は、前記可動部に設けられており且つ前記円筒部外に配置された構成とすることが可能である。
【００１０】
このような態様のヘッドフォンによる場合、操作部が移動操作されることによって、可動部および閉塞部を往復移動させることができるので、当該ヘッドフォンの音響特性の微調整が行い易くなる。しかも、操作部が円筒部外に配置されているため、フロント部が耳に装着又はフロント部を耳の近傍に配置された状態で、当該操作部を操作することができる。
【００１１】
上記ヘッドフォンは、ドライバーユニットと、ケーブルとを更に備えた構成とすることが可能である。前記ドライバーユニットは、前記ハウジング内に収容された構成とすることが可能である。前記ケーブルは、前記ドライバーユニットに接続された構成とすることが可能である。前記閉塞部は、前記可動部から当該可動部の軸方向の一方側に延びた構成とすることが可能である。前記背面音孔は、前記円筒部の前記可動部よりも前記軸方向の一方側の部分に設けられた構成とすることが可能である。前記ハウジングは、導出路又は導出孔を更に有した構成とすることが可能である。前記導出路又は前記導出孔は、前記円筒部の前記可動部よりも前記軸方向の一方側の部分であって、前記閉塞部の移動範囲外に設けられており且つ前記ケーブルを当該ハウジング外に導出させる構成とすることが可能である。
【００１２】
このような態様のヘッドフォンによる場合、可動部および閉塞部とケーブルとの干渉が回避される。
【００１３】
上記ヘッドフォンは、バッフルを更に備えた構成とすることが可能である。前記バッフルは、前記フロント部に固着されており且つ正面音孔が設けられた構成とすることが可能である。又は前記正面音孔は、前記バッフルではなく、前記フロント部に設けられた構成とすることが可能である。この場合、前記バッフルは省略可能である。
【００１４】
前記閉塞部には、前記背面音孔に連通可能な孔が設けられた構成とすることが可能である。前記閉塞部は、前記可動部の往路移動に応じて前記円筒部に沿って移動して前記背面音孔を漸次閉塞し、前記閉塞部の前記孔と前記ハウジングの前記背面音孔との連通量を漸次低減させる一方、前記可動部の復路移動に応じて前記円筒部に沿って移動して前記背面音孔を漸次開放し、前記閉塞部の前記孔と前記ハウジングの前記背面音孔との連通量を漸次増加させる構成とすることが可能である。
【００１５】
前記円筒部は、当該円筒部の軸方向の他方側に開口を有する構成とすることが可能である。この場合、前記操作部は、前記円筒部の前記開口を閉塞する構成とすることが可能である。又は、前記ハウジングは、前記円筒部の前記開口を閉塞する蓋部を更に有する構成とすることが可能である。
【図面の簡単な説明】
【００１６】
【図１Ａ】本発明の実施例に係るヘッドフォンの背面、底面および左側面を表した概略的斜視図である。
【図１Ｂ】前記ヘッドフォンの概略的平面図である。
【図２】前記ヘッドフォンの図１Ａ中の２−２部分図である。
【図３】前記ヘッドフォンの操作部、可動部および閉塞部を示す概略的斜視図である。
【図４Ａ】前記ヘッドフォンのハウジングの背面音孔が開放された状態を示す説明図である。
【図４Ｂ】前記ヘッドフォンのハウジングの背面音孔が１／３閉塞された状態を示す説明図である。
【図４Ｃ】前記ヘッドフォンのハウジングの背面音孔が半分閉塞された状態を示す説明図である。
【図４Ｄ】前記ヘッドフォンのハウジングの背面音孔が閉塞された状態を示す説明図である。
【発明を実施するための形態】
【００１７】
以下、本発明の実施例に係るヘッドフォンについて図１Ａ〜図４Ｄを参照しつつ説明する。図１Ａおよび図１Ｂに示すヘッドフォンは、インナーイヤー型のイヤホンである。このヘッドフォンは、ハウジング１００と、回転体２００と、バッフル３００と、ドライバーユニット４００と、ケーブル５００とを備えている。以下、このヘッドフォンの各構成要件について詳しく説明する。なお、図１Ａに示すＣＷは回転体２００の往復移動方向の一方であり、ＣＣＷは回転体２００の往復移動方向の他方である。図２に示すＤ１は、ハウジング１００の円筒部１１０および回転体２００の可動部２１０の軸方向の一方であり、Ｄ２は前記軸方向の他方であり、Ｒはハウジング１００の円筒部１１０および回転体２００の可動部２１０の半径方向である。
【００１８】
ハウジング１００は、図１Ａ〜図２に示すように、円筒部１１０と、フロント部１２０と、導出路１３０とを有している。円筒部１１０は、開口１１１と、背面音孔１１２と、複数の係合凹部１１３とを有する。開口１１１は、図２に示すように、円筒部１１０の軸方向Ｄ２に設けられた円形の孔である。係合凹部１１３は、円筒部１１０の内面の可動部２１０が内接する部分（詳しくは後述する。）に移動方向ＣＷ−ＣＣＷに間隔をあけて設けられた長溝であって、移動方向ＣＷ−ＣＣＷに延びている（図示一つ）。背面音孔１１２は、円筒部１１０の可動部２１０が内接しない部分（すなわち、可動部２１０よりも軸方向Ｄ１側の部分）を半径方向Ｒに貫通した貫通孔である。背面音孔１１２からハウジング１００の空気（音）がハウジング１００外に放出可能となっている。
【００１９】
導出路１３０は、図２に示すように、円筒部１１０の可動部２１０が内接しない部分（すなわち、可動部２１０よりも軸方向Ｄ１側の部分）であり且つ回転体２００の後述する閉塞部２２０の移動範囲外の部分に設けられた管である。本実施例では、導出路１３０は、背面音孔１１２の反対側に位置するように、円筒部１１０に設けられている。導出路１３０の内部は、円筒部１１０の内部空間に通じている。
【００２０】
フロント部１２０は、使用者の耳の耳介又は外耳道に装着可能な部分である。フロント部１２０は、図１Ａ〜図２に示すように、周壁部１２１と、接続部１２２と、開口１２３とを有している。周壁部１２１は、円筒部１１０よりも大きい外径を有する円筒である。開口１２３は、周壁部１２１の軸方向Ｄ１側に設けられた円形の孔である。接続部１２２は、周壁部１２１の軸方向Ｄ２の端と円筒部１１０の軸方向Ｄ１側の端とを繋ぐ円錐台状の筒である。円筒部１１０の内部空間とフロント部１２０の内部空間とは通じている。
【００２１】
ドライバーユニット４００は、ハウジング１００のフロント部１２０に嵌合し且つ当該フロント部１２０内に収容されている。ドライバーユニット４００は、ケーブル５００に接続されている。ドライバーユニット４００は、ケーブル５００を介して供給される電気信号に従って、当該ドライバーユニット４００内の振動板を振動させることにより、前記電気信号に応じた音を生成する。ケーブル５００は、ハウジング１００の導出路１３０を通ってハウジング１００外に導出している。ケーブル５００は図示しない音響装置に接続可能である。この音響装置から前記電気信号が出力される。
【００２２】
バッフル３００は、開口１２３を閉塞するように周壁部１２１の軸方向Ｄ１側の端部に固着された板である。バッフル３００は、複数の正面音孔３１０を有している。正面音孔３１０は当該バッフル３００を貫通した貫通孔である。正面音孔３１０は、ドライバーユニット４００の正面側に位置する正面音孔である。
【００２３】
回転体２００は、図１Ａ〜図３に示すように、可動部２１０と、閉塞部２２０と、操作部２３０とを有している。可動部２１０は、図２に示すように、ハウジング１００の円筒部１１０の内径よりも外径が略同じ又は若干小さい円筒である。可動部２１０は、開口１１１から円筒部１１０に挿入され、円筒部１１０に沿って往復移動自在（回転自在）となるように当該円筒部１１０に内接している。これにより、回転体２００が円筒部１１０に対して移動方向ＣＷ−ＣＣＷに回転自在となっている。なお、移動方向ＣＷが可動部２１０の往路移動方向であり、移動方向ＣＣＷが可動部２１０の復路移動方向である。
【００２４】
可動部２１０の外面には、複数の係合凸部２１１が移動方向ＣＷ−ＣＣＷに間隔をあけて設けられている。係合凸部２１１の移動方向ＣＷ−ＣＣＷの長さ寸法は、円筒部１１０の係合凹部１１３の移動方向ＣＷ−ＣＣＷの長さ寸法よりも小さい。係合凸部２１１が係合凹部１１３に移動方向ＣＷ−ＣＣＷに移動自在に係合されている。係合凸部２１１が係合凹部１１３の移動方向ＣＷ側の端および移動方向ＣＣＷの端に当接することにより、回転体２００の移動範囲が制限されている。
【００２５】
操作部２３０は、図２に示すように、可動部２１０の軸方向Ｄ２側の端部上に設けられた円板である。操作部２３０の中心と可動部２１０の軸心とは、軸方向Ｄ１−Ｄ２において一致している。操作部２３０の外径は円筒部１１０の外径よりも大きい。操作部２３０は、円筒部１１０の軸方向Ｄ２側の端面に当接するように円筒部１１０外に配置され、円筒部１１０の開口１１１を閉塞している。操作部２３０は可動部２１０の移動に伴って移動方向ＣＷ−ＣＣＷに移動可能（回転可能）である。
【００２６】
閉塞部２２０は、図２および図３に示すように、可動部２１０の軸方向Ｄ１側の端から軸方向Ｄ１側に延びた円弧状の板である。閉塞部２２０は、円筒部１１０の内面に面接触している。閉塞部２２０の背面音孔１１２に連通可能な部分に、孔２２１が設けられている。孔２２１は、閉塞部２２０を半径方向Ｒに貫通した貫通孔であって、背面音孔１１２の外形と同じ外形又は背面音孔１１２の外形よりも大きい外形を有している。閉塞部２２０は、図４Ａ〜図４Ｄに示すように可動部２１０の移動方向ＣＷの往路移動に応じて円筒部１１０の内面に沿って開位置から閉位置へ移動し、背面音孔１１２を漸次閉塞する。これにより、孔２２１と背面音孔１１２との連通量が漸次低減すると共に、背面音孔１１２の開口面積が漸次減少する。一方、閉塞部２２０は、図４Ｄ〜図４Ａに示すように可動部２１０の移動方向ＣＣＷの復路移動に応じて円筒部１１０の内面に沿って閉位置から開位置へ移動し、背面音孔１１２を漸次開放する。これにより、孔２２１と背面音孔１１２との連通量が漸次増加すると共に、背面音孔１１２の開口面積が漸次増加する。開位置は、図４Ａに示すように、円筒部１１０の背面音孔１１２の全領域が閉塞部２２０の孔２２１に連通する位置である。閉位置は、図４Ｄに示すように、閉塞部２２０が円筒部１１０の背面音孔１１２の全領域を閉塞する位置である。
【００２７】
以下、上述したヘッドフォンの組立手順について詳しく説明する。まず、ケーブル５００およびハウジング１００を用意する。その後、ケーブル５００をハウジング１００の導出路１３０からハウジング１００内に挿入する。その後、ドライバーユニット４００を用意する。その後、ケーブル５００をドライバーユニット４００に接続する。その後、ドライバーユニット４００を開口１２３からハウジング１００内に挿入し、ハウジング１００に固着させる。その後、バッフル３００を用意する。その後、ハウジング１００の開口１２３を閉塞するように、バッフル３００を当該ハウジング１００に固着させる。
【００２８】
その後、回転体２００を用意する。その後、回転体２００の可動部２１０および閉塞部２２０を、ハウジング１００の円筒部１１０の開口１１１から当該円筒部１１０内に挿入する。そして、可動部２１０の係合凸部２１１を円筒部１１０の係合凹部１１３に係合させる。これにより、可動部２１０が円筒部１１０に回転自在に内接する。閉塞部２２０が円筒部１１０の内面に接触する。操作部２３０が円筒部１１０の軸方向Ｄ２側の端面に当接し、円筒部１１０の開口１１１を閉塞する。
【００２９】
以下、上述したヘッドフォンの使用方法および当該ヘッドフォンの各構成要件の動作について詳しく説明する。ハウジング１００のフロント部１２０およびバッフル３００が耳介又は外耳道に挿入される。これにより、フロント部１２０が耳に装着される。その後、ケーブル５００に接続された音響装置が操作されると、電気信号が音響装置から出力され、ケーブル５００を介してドライバーユニット４００に入力される。これにより、ドライバーユニット４００が音を生成し、当該音がバッフル３００の正面音孔３１０から出力される。
【００３０】
この状態で、操作部２３０が移動方向ＣＷに回転操作されると、操作部２３０の移動に伴って、可動部２１０および閉塞部２２０がハウジング１００の円筒部１１０に沿って移動方向ＣＷに往路移動し、背面音孔１１２を漸次閉塞する。操作部２３０が移動方向ＣＣＷに回転操作されると、操作部２３０の移動に伴って、可動部２１０および閉塞部２２０がハウジング１００の円筒部１１０に沿って移動方向ＣＣＷに復路移動し、背面音孔１１２を漸次開放する。このようにしてハウジング１００の背面音孔１１２の開口面積を漸次可変させることができるので、ヘッドフォンの音響抵抗等の音響特性を微調整することができる。なお、操作部２３０は、ドライバーユニット４００に電気信号が入力されていないときであっても、上述の通り操作できる。
【００３１】
以上のようなヘッドフォンは、以下の技術的特徴を有する。第１に、ヘッドフォンの音響抵抗等の音響特性を微調整することができる。なぜなら、操作部２３０を移動方向ＣＷ又は移動方向ＣＣＷに移動操作するだけで、ハウジング１００の背面音孔１１２の開口面積を漸次可変させることができるからである。第２に、ヘッドフォンの小型化を図ることができる。なぜなら、閉塞部２２０がハウジング１００の円筒部１１０の内面に沿って往復移動するだけであるので、ハウジング１００内の閉塞部２１０の移動空間の低減を図ることができるからである。第３に、可動部２１０および閉塞部２２０をハウジング１００の円筒部１１０に対して容易に取り付けることができる。可動部２１０および閉塞部２２０を円筒部１１０の開口１１１から挿入し、可動部２１０を円筒部１１０に内接させるだけであるからである。第４に、閉塞部２２０とケーブル５００との干渉を避けることができる。ケーブル５００が通された導出路１３０が、円筒部１１０における可動部２１０よりも軸方向Ｄ１側の部分であり且つ閉塞部２２０の移動範囲外の部分に設けられているからである。第５に、背面音孔２１１が閉塞部２２０に完全に閉塞された場合、正面音孔３１０から出力される音の低域を抑制することができ且つ当該ヘッドフォンからの音漏れを抑制することができる。第６に、上述の通り音響特性を微調整することによって、ドライバーユニット４００により生成される音の音量が小さい場合であっても、低域の音量を上げることで正面音孔３１０から出力される音が迫力のある音となる。
【００３２】
なお、上述したヘッドフォンは、上記実施例に限定されるものではなく、特許請求の範囲の記載範囲において任意に設計変更することが可能である。以下、詳しく述べる。
【００３３】
本発明のハウジングのフロント部は、耳に装着可能又は耳の近傍に配置可能である限り任意に設計変更することが可能である。例えば、カナル型ヘッドフォンのように、フロント部は、当該フロント部に固着されたイヤーピースを介して耳に装着される構成に設計変更することが可能である。また、ヘッドバンド型ヘッドフォン、ネックバンド型ヘッドフォン又は耳掛け型・クリップ型ヘッドフォンのように、フロント部は耳を覆うように耳の近傍に配置可能な構成に設計変更することが可能である。また、上述したフロント部は、少なくとも一つの正面音孔が設けられた設計変更することが可能である。この場合、本発明のバッフルは省略又は前記ハウジング内に固着されるように設計変更することが可能である。また、上述したフロント部は、円筒部の外径と同じ又は小さい外径を有する設計変更することが可能である。なお、本発明のバッフルは、板状に限定されない。バッフルに設けられる正面音孔についても、少なくとも一つあればよい。
【００３４】
本発明のハウジングの円筒部は、背面音孔が設けられた円筒である限り任意に設計変更することが可能である。本発明のハウジングは、後述するように可動部が円筒部に外接している場合、可動部が板状である場合又は操作部が突起である場合、円筒部の軸方向の他方側の開口を閉塞する蓋部を更に備えた構成とすることが可能である。また、本発明のハウジングは、上述したフロント部と上述した円筒部との間に板状又は筒状の中継部を設けることが可能である。
【００３５】
本発明の可動部は、上述したハウジングの円筒部に沿って往復移動自在となるように当該円筒部に設けられている限り任意に設計変更することが可能である。例えば、可動部は、ハウジングの円筒部に沿って往復移動自在（回転自在）となるように当該円筒部に外接した円筒に設計変更することが可能である。また、可動部は、円弧状の板であって、ハウジングの円筒部の内面又は外面に沿って往復移動自在となるように当該円筒部に設けられた構成に設計変更することが可能である。また、上述した可動部の外面には、係合凹部１１３が設けられた構成に設計変更することが可能である。この場合、上述した円筒部の内面には、前記係合凹部１１３に移動方向ＣＷ−ＣＣＷに移動自在に係合された係合凸部２１１が設けられた構成に設計変更することが可能である。
【００３６】
本発明の閉塞部は、下記事項を備えている限り任意に設計変更することが可能である。第１に、閉塞部は上述した可動部に設けられていることである。第２に、閉塞部は、前記可動部の往路移動に応じて上述した円筒部に沿って移動し、当該ハウジングの背面音孔を漸次閉塞する一方、前記可動部の復路移動に応じて前記円筒部に沿って移動し、前記背面音孔を漸次開放することである。例えば、閉塞部は、可動部に連設された板又はブロックであって、当該可動部の往復移動に応じて円筒部に沿って移動し、当該円筒部の背面音孔を漸次閉塞／開放可能な構成に設計変更することが可能である。すなわち、閉塞部の孔は省略可能である。なお、上記閉位置は、閉塞部がハウジングの背面音孔の一部を閉塞する位置に変更可能である。上記開位置は、閉塞部がハウジングの背面音孔の一部を開放する位置に変更可能である。
【００３７】
本発明の操作部は、上述した可動部に設けられており且つ上述した円筒部外に操作可能に配置されている限り任意に設計変更することが可能である。例えば、上述の通り可動部が円筒部に外接している場合も、操作部は、上記実施例と同様に円筒部の軸方向の他方側に設けられた円板とすることが可能である。なお、上述した操作部は、円板以外の板に設計変更することが可能である。また、操作部は、上述した可動部の外面に突設されており且つ円筒部に設けられた長孔から当該円筒部外に突出した突起に設計変更することが可能である。
【００３８】
本発明のドライバーユニットは、ハウジング内に収容され、当該ドライバーユニットに入力される電気信号に応じて音を生成し得るものである限り任意に設計変更することが可能である。例えば、ドライバーユニットは上述したバッフルに固着され、ハウジング内に収容される構成に設計変更することが可能である。また、ドライバーユニットは、ハウジングの円筒部内に収容される構成に設計変更することが可能である。また、ドライバーユニットは、基板又は他の電子部品から入力された電気信号に応じて音を生成し得る構成に設計変更することが可能である。例えば、本発明のヘッドフォンが無線信号のレシーバー（他の電子部品）を備えている場合、当該レシーバー、又は当該レシーバーが実装された基板から入力される電気信号に応じてドライバーユニットは音を生成するように設計変更することが可能である。この場合、ケーブルは省略可能である。
【００３９】
なお、上記実施例におけるヘッドフォンの各構成要素を構成する素材、形状、寸法、数及び配置等はその一例を説明したものであって、同様の機能を実現し得る限り任意に設計変更することが可能である。上述した実施例及び設計変更例は、互いに矛盾しない限り、相互に組み合わせることが可能である。
【符号の説明】
【００４０】
１００・・・・ハウジング
１１０・・・円筒部
１１１・・開口
１１２・・背面音孔
１１３・・係合凹部
１２０・・・フロント部
１２１・・周壁部
１２２・・接続部
１２３・・開口
１３０・・・導出路
２００・・・・回転体
２１０・・・可動部
２１１・・係合凸部
２２０・・・閉塞部
２２１・・孔
２３０・・・操作部
３００・・・・バッフル
３１０・・・正面音孔
４００・・・・ドライバーユニット
５００・・・・ケーブル
ＣＷ・・・・・往復移動方向の一方（往路移動方向）
ＣＣＷ・・・・往復移動方向の他方（復路移動方向）
Ｄ１・・・・・軸方向の一方
Ｄ２・・・・・軸方向の他方
Ｒ・・・・・・半径方向
【図１Ａ】
2014225752.tif 000003
【図１Ｂ】
2014225752.tif 000004
【図２】
2014225752.tif 000005
【図３】
2014225752.tif 000006
【図４Ａ】
2014225752.tif 000007
【図４Ｂ】
2014225752.tif 000008
【図４Ｃ】
2014225752.tif 000009
【図４Ｄ】
2014225752.tif 000010